(57)【要約】      （修正有）【課題】タブレット、ノートパソコン、大型電子製品を配置部上に置き、フィットネスしながらビジネス、エンターテイメントを楽しめる効果を有するエアロバイク用調節式設置ホルダーを提供する。【解決手段】エアロバイク用調節式設置ホルダーは、主にフィットネスバイクの両ハンドルに設置し、台座フレーム１および二本の作動アーム２を含み、二本の作動アーム２は台座フレーム１に枢設して合わさり、且つ二本の作動アーム２は台座フレーム１に相対して位置を調整する。更に二本の作動アーム２の間の距離を変え、且つ二本の作動アーム２をフィットネスバイクのハンドルに設置した後、台座フレーム１は二本の作動アーム２に対して傾斜角度を調整し、フィットネス中の使用に適するようにする。【選択図】図１
0003234099.tif 000002
【実用新案登録請求の範囲】
【請求項１】
主にエアロバイクの両ハンドルの間に設置するエアロバイク用調節式設置ホルダーにおいて、
配置部および枢設部を有し、枢設部は配置部の底面に設置し、枢設部は枢設孔を設け、枢設孔は枢設部の一端から別一端まで貫通しさらに二個の枢設口および孔納置室を形成し、孔納置室と二個の枢設口は連通設置する台座フレームと、
それぞれ枢設部に枢設セットされ、一端を二個の枢設口からそれぞれ挿入し、且つ各々は枢設孔の軸方向にそって移動し、各々を二本のハンドルの距離に合わせて調整し、別一端は更に挟持嵌合組部材にそれぞれ設置し、各挟持嵌合組部材は各ハンドルにそれぞれ挟持して位置決めし、台座フレームは各挟持嵌合組部材に二本のハンドルを挟持した後、台座フレームの枢設部が軸心として二本の作動アームに相対して回転し、枢設部の回転が配置部の傾斜角度位置を変化させる二本の作動アームと、
を含むことを特徴とするエアロバイク用調節式設置ホルダー。
【請求項２】
前記台座フレームの枢設部は、更に上挟持台および下挟持台を含み、上挟持台の一端は配置部と相互に結合し、下挟持台の一端は二個の枢設耳および凹槽を含み、凹槽は二個の枢設耳の間に位置し、二個の枢設耳に対応する上挟持台には相互に対応する二個の枢設結合槽が凹設され、凹槽に対応する上挟持台には凸条が成形され、凸条が凹槽内に挿入され、二個の枢設耳は二個の枢設結合槽内に納置され、二個の止め金を二個の枢設耳にそれぞれ挿入し、同時に凸条の両端に挿入して枢設し、上挟持台と下挟持台は二個の止め金の設置によって相互に作動して開閉し、
上挟持台に設置した凸条の一側には更に二個の結合孔を穿設し、二個の結合孔の位置は、各作動アームが対応する孔納置室の一端でそれぞれ対応し、各結合孔は孔納置室と連通し、各結合孔内は皿小ネジで螺合し、各皿小ネジは各結合孔の軸方向に沿って締まり、各作動アームに当接することを特徴とする請求項１記載のエアロバイク用調節式設置ホルダー。
【請求項３】
前記エアロバイク用調節式設置ホルダーは、更に複数の螺合部材を設けて上挟持台、下挟持台の開合箇所にロックし、各螺合部材を外すと上挟持台、下挟持台が開き孔納置室が露出し、各螺合部材のネジを締めると上挟持台、下挟持台が締まって二本の作動アームを挟持して押さえ、且つ上挟持台と下挟持台の複数の螺合部材を設ける部位は相互に密接しないことを特徴とする請求項１記載のエアロバイク用調節式設置ホルダー。
【請求項４】
前記配置部の最上面は、更に複数の滑止めシートおよび複数の通気孔を設け、各滑止めシートおよび各通気孔は配置部最上面に配置し、
配置部の相互に対応する両側には更に複数のクリップ部材をそれぞれ設け、各クリップ部材の一端は配置部の周辺縁に連接し、各クリップ部材の別一端は外向きに延びた後上向きに湾曲して延び、
各作動アームは更に孔納置室内に位置するフレア加工端および挟持嵌合組部材を接続する組立端を含み、フレア加工端の口径は二個の枢設口の口径よりも大きいことを特徴とする請求項１記載のエアロバイク用調節式設置ホルダー。
【請求項５】
前記各挟持嵌合組部材は、更にストッパー、枢設軸杆および挟持爪をそれぞれ含み、各ストッパーの一端は各作動アームにそれぞれきつく締め、各ストッパーの別一端は各挟持爪と相互組み合わさり、各枢設軸杆は各挟持爪および各ストッパーに挿入され、
各挟持爪は更に第一挟持アーム、第二挟持アームおよびクイックリリース組部材を含み、各枢設軸杆は第二挟持アームを貫通し各ストッパーに挿入され、各第二挟持アームの両端は第一挟持アーム、クイックリリース組部材とそれぞれ相互に枢設セットし、各第一第二挟持アームと枢設セットされた箇所から遠い挟持アームの一端はロック凹槽を設け、各クイックリリース組部材は第一挟持アームに設けたロック凹槽の一端に近づいた時、嵌合して組み合わさり、各第一挟持アームと各第二挟持アームが締まって各ハンドルを挟持することを特徴とする請求項１記載のエアロバイク用調節式設置ホルダー。
【考案の詳細な説明】
【技術分野】
【０００１】
本考案は、エアロバイク用調節式設置ホルダーに関するもので、特にエアロバイク上の追加部材に応用し、主にタブレット、ノートパソコン、大型電子製品の配置に使用する。
【背景技術】
【０００２】
エアロバイク上でのつまらないフィットネス環境を解決したり、フィットネスと同時に他のことも処理するため、多くの人々はスマートフォンで音楽を聞いたり、スマートフォンをエアロバイクのメーターボードの收納空間内に置いて動画等を視聴し、フィットネスに楽しみを加えている。
しかしながら、一般のタブレット、ノートパソコンまたは大型電子製品ではそのようにすることは出来ない。なぜなら、前述用品はすべて体積が大きく且つ一定の重量があるため、エアロバイクユーザーがエアロバイク上でフィットネスを行う時、携帯に不便であり、且つ一般エアロバイクのメーターボード箇所の收納空間では置くことが出来ない。更に仮にビジネス上の文書作業を行う場合、スマートフォンの使用はタブレット、ノートパソコンよりも効率的に劣るため、エアロバイク領域の業者は如何にしてタブレット、ノートパソコン、大型電子製品を合わせて置けるようにして、エアロバイクユーザーがフィットネス、ビジネス、エンターテイメントのすべてを合わせて行えるものを提供するべきである。
【考案の概要】
【考案が解決しようとする課題】
【０００３】
エアロバイクユーザーがフィットネス時にタブレット、ノートパソコン、大型電子製品を配置し、フィットネス、ビジネス、エンターテイメントを合わせて行うことができ、公知のような画面が小さいスマートフォンでビジネスやエンターテイメントをするしかないという制限を改善するエアロバイク用調節式設置ホルダーを提供することを本考案の主な課題とする。
【課題を解決するための手段】
【０００４】
上述の目的と効果を達成するため、本考案のエアロバイク用調節式設置ホルダーは、主にエアロバイクの両ハンドルの間に取り付け、それは以下を含む。
台座フレームは、配置部および枢設部を有し、枢設部は配置部の底面に設置し、また枢設部は枢設孔を設け、枢設孔は枢設部の一端から別一端まで貫通し、さらに二個の枢設口および孔納置室を形成する。また孔納置室と二個の枢設口は連通設置する。
二本の作動アームは、枢設部にそれぞれ枢設セットされ、各作動アームのそれぞれ一端を二個の枢設口から挿入し、且つ各作動アームは枢設孔の軸方向にそって移動し、各作動アームの間の距離を二本のハンドルの距離に合わせて調整する。その他各作動アームの別一端は更に挟持嵌合組部材をそれぞれ設置し、各挟持嵌合組部材は各ハンドルにそれぞれ挟持して位置決めし、台座フレームは各挟持嵌合組部材に二本のハンドルを挟持した後、台座フレームの枢設部が軸心として二本の作動アームに相対して回転し、枢設部の回転が配置部の傾斜角度位置を変える。
【図面の簡単な説明】
【０００５】
【図１】本考案の立体指示図である。
【図２】本考案の別角度からの立体指示図である。
【図３】本考案の立体分解指示図である。
【図４】本考案の安裝於エアロバイクの使用状態指示図である。
【図５】図１のＶ−Ｖ線段断面指示図である。
【図６】図５の二本の作動アームの位置移動動作指示図である。
【図７】本考案の台座フレーム傾斜角度の調整動作指示図である。
【図８】本考案のレバー部材作動の局部拡大動作指示図である。
【図９】図８のクイックリリース組部材の完全離脱指示図である。
【図１０】図４にタブレットを配置した使用状態指示図である。
【図１１】図１０のＸＩ−ＸＩ線断面指示図である。
【考案を実施するための形態】
【０００６】
（一実施形態）
図１から図１１に示すとおり、本考案のエアロバイク用調節式設置ホルダーは、主にエアロバイク１００の両ハンドル２００の間に設置し、それは配置部１１が矩形状の台座フレーム１および枢設部１２を含む。枢設部１２は配置部１１の底面に設置し、また枢設部１２は枢設孔１２１を穿設し、枢設孔１２１は枢設部１２の一端から別一端へ穿設され、二個の枢設口１２２および孔納置室１２３を形成する。そのうち二個の枢設口１２２の口径は、孔納置室１２３の口径より小さく、また孔納置室１２３と二個の枢設口１２２は連通設置される。
二本の作動アーム２は、一箇所が湾曲したＬ字型で、それは枢設部１２にそれぞれ枢設し、各作動アーム２の一端を持って二個の枢設口１２２からそれぞれ挿入し、且つ各作動アーム２は枢設孔１２１の軸方向に沿って移動し、各作動アーム２の間の距離は二本のハンドル２００の距離に合わせて調整する。その他各作動アーム２の別一端は、更にそれぞれ挟持嵌合組部材３を組み立てる。各挟持嵌合組部材３は、各ハンドル２００にそれぞれ挟持して位置決めし、台座フレーム１は各挟持嵌合組部材３で二本のハンドル２００を挟持した後、台座フレーム１は枢設部１２を軸心として二本の作動アーム２に相対して回し、枢設部１２の回転に拠って、配置部１１の傾斜角度位置を変更させる。
【０００７】
図３に示すとおり、本考案は、枢設部１２の設計において、上挟持台１２４および下挟持台１２５を含む。上挟持台１２４の最上面は、配置部１１と相互に組立結合し、また上挟持台１２４の底面は下挟持台１２５と枢設して組み合わさる。また上挟持台１２４に対応する下挟持台１２５には二個の枢設耳１２６が凸設され、凹槽１２７が凹設される。凹槽１２７は二個の枢設耳１２６の間に位置し、二個の枢設耳１２６に対応する上挟持台１２４には相互に対応する二個の枢設結合槽１２８が凹設され、凹槽１２７に対応する上挟持台１２４には凸条１２９が成形される。また凸条１２９は凹槽１２７内に挿入組立され、二個の枢設耳１２６は二個の枢設結合槽１２８内に納置され、二個の止め金４をそれぞれ二個の枢設耳１２６に貫入し、同時に凸条１２９の両端に枢設される。上挟持台１２４と下挟持台１２５は二個の止め金４の設置によって相互に枢設開閉する。
また二本の作動アーム２が調整後に任意に動かないように固定するため、上挟持台１２４は凸条１２９の一側に更に二個の結合孔１３０を設け、二個の結合孔１３０の位置はそれぞれ各作動アーム２が対応する孔納置室１２３の一端であり、各結合孔１３０は孔納置室１２３に連通し、各結合孔１３０内は皿小ネジ５を固定し、各皿小ネジ５は各結合孔１３０の軸方向に沿って挿入し、一端で各作動アーム２を押さえ調整後の位置に移動して位置決めする。以上、図５に示すとおりとする。
【０００８】
図７に示すのは、図中の矢印が配置部１１の傾斜調整および下挟持台１２５の上挟持台１２４に対する枢設作動開合を表示する。上挟持台１２４と下挟持台１２５が相互に開いている時、複数の螺合部材６でそれを螺合する。つまり、各螺合部材６は下挟持台１２５から上挟持台１２４方向へ向かい、下挟持台１２５一端を貫通し、更に各螺合部材６の一端で上挟持台１２４に螺設する。また各螺合部材６が下挟持台１２５から外されると、下挟持台１２５は上挟持台１２４との枢設関係によって相互に開き、更に孔納置室１２３が露出する。この時二本の作動アーム２を調整したり、交換したりする。
反対に、下挟持台１２５と上挟持台１２４が相互に合わさると、即ち、二本の作動アーム２を挟み込み、各螺合部材６で螺合し、上挟持台１２４と下挟持台１２５間の密合度を更に密接にし、二本の作動アーム２をしっかりと挟み込んで固定する。また上挟持台１２４と下挟持台１２５の間の閉合について、各螺合部材６を設けた部位では相互に密接に合わさっていない（図２参照）。
【０００９】
図２と図５、図６に示すとおり、各作動アーム２は更に孔納置室１２３内に位置するフレア加工端２１および挟持嵌合組部材３に挟持される組立端２２を含む。フレア加工端２１の口径は二個の枢設口１２２の口径より大きく、各作動アーム２はフレア加工端２１によって孔納置室１２３内を移動し、且つ各フレア加工端２１が各枢設口１２２に近づくほど、二本の作動アーム２の組立端２２間の距離はより大きくなる。また各フレア加工端２１が位置移動によって孔納置室１２３両端で押さえた後、これ以上移動できなくなり、二個の枢設口１２２で制限を受け、孔納置室１２３内から抜けず、調整完成後に再度、前述の皿小ネジ５で押さえて位置を限定する。
【００１０】
図３に示すとおり、各挟持嵌合組部材３は、主にエアロバイク１００のハンドル２００を挟持するのに用いる。但し、エアロバイク１００上のハンドル２００は異なる方向の造形であるため、各式ハンドル２００に合わせるため、各挟持嵌合組部材３は、更にストッパー３１、枢設軸杆３２および挟持爪３３を含む。各ストッパー３１は各一端を各作動アーム２にきつく挿入して落ちないようにする。また各ストッパー３１の別一端は各挟持爪３３と相互に組み合わさり、各枢設軸杆３２は各挟持爪３３および各ストッパー３１に挿入する。各枢設軸杆３２の設置によって各挟持爪３３は各ストッパー３１に相対して爪の方向を回転変更させる。また各枢設軸杆３２が各ストッパー３１の一端に挿入され、更にナットで固定することによって枢設軸杆３２の脱落を防止する。
その他、各挟持爪３３の設置には更に第一挟持アーム３３１、第二挟持アーム３３２およびクイックリリース組部材３４を含む。各枢設軸杆３２は第二挟持アーム３３２を貫通し、各ストッパー３１に挿入される。各第二挟持アーム３３２の両端はそれぞれ第一挟持アーム３３１、クイックリリース組部材３４と相互に枢設セットされ、各第一第二挟持アーム３３２と枢設セットされた箇所から遠い挟持アーム３３１の一端はロック凹槽３３３を設け、各クイックリリース組部材３４は第一挟持アーム３３１に設けたロック凹槽３３３の一端に近づいた時、嵌合して組み合わさり、各第一挟持アーム３３１と各第二挟持アーム３３２をきつく締めて各ハンドル２００に挟持される。各クイックリリース組部材３４は更に短軸杆３４１、ネジ杆３４２、レバー部材３４３およびパッキン３４４を含む。その他、クイックリリース組部材３４と相互に枢設セットされる第二挟持アーム３３２の一端には、二個の挟持アーム塊３４５および二個の挟持アーム塊３４５の間に位置する溝通路３４６を成形し、短軸杆３４１は二個の挟持アーム塊３４５に枢設セットして溝通路３４６を貫通する。また短軸杆３４１の溝通路３４６に対応する位置にはネジ孔３４７を設ける。またネジ杆３４２の一端はレバー部材３４３に枢設され、ネジ杆３４２の別一端はネジ孔３４７にロックされる。レバー部材３４３はネジ杆３４２に相対して枢設作動し、またパッキン３４４はネジ杆３４２に設置される。レバー部材３４３は第一挟持アーム３３１に設置されたロック凹槽３３３の一端に第二挟持アーム３３２が相対して近づいた時、ネジ杆３４２は短軸杆３４１の回転によってロック凹槽３３３内へ移動し、ネジ杆３４２でネジ孔３４７内へ螺合して締め、レバー部材３４３の枢設作動によってネジ杆３４２がネジ孔３４７に相対しネジ回転位置を定める。
【００１１】
最後に図１、図２に示すとおり、台座フレーム１の配置部１１と枢設部１２は一体型または組立型である。また配置部１１と枢設部１２が組立型の場合、更に複数のネジ７を設け、一端を配置部１１に挿入して枢設部１２に固定する。また複数のネジ７の別一端の端面は配置部１１の表面から突出しないので３Ｃ電子製品と接触するのを防止する。その他配置部１１の最上面は更に複数の滑止めシート８および複数の通気孔９を設け、各滑止めシート８および各通気孔９は配置部１１最上面に配置することで滑り止めおよび通気として用いられる。
その他、配置部１１の相互対応する両側には更にそれぞれ複数のクリップ部材１０を設ける。各クリップ部材１０の一端を配置部１１周辺縁に連接し、各クリップ部材１０の別一端は外向きから更に上方向に湾曲して延び、タブレット、ノートパソコン、大型電子製品を固定する。本考案の各クリップ部材１０は伸縮せずに固定するだけでもよく、また伸縮して調整するものでもよく、各クリップ部材１０の型態は制限されない。
【符号の説明】
【００１２】
１００        エアロバイク
２００        ハンドル
１        台座フレーム
１１        配置部
１２        枢設部
１２１        枢設孔
１２２        枢設口
１２３        孔納置室
１２４        上挟持台
１２５        下挟持台
１２６        枢設耳
１２７        凹槽
１２８        枢設結合槽
１２９        凸条
１３０        結合孔
２        作動アーム
２１        フレア加工端
２２        組立端
３        挟持嵌合組部材
３１        ストッパー
３２        枢設軸杆
３３        挟持爪
３３１        第一挟持アーム
３３２        第二挟持アーム
３３３        ロック凹槽
３４        クイックリリース組部材
３４１        短軸杆
３４２        ネジ杆
３４３        レバー部材
３４４        パッキン
３４５        挟持アーム塊
３４６        溝通路
３４７        ネジ孔
４        止め金
５        皿小ネジ
６        螺合部材
７        ネジ
８        滑止めシート
９        通気孔
１０        クリップ部材
【図１】
0003234099.tif 000003
【図２】
0003234099.tif 000004
【図３】
0003234099.tif 000005
【図４】
0003234099.tif 000006
【図５】
0003234099.tif 000007
【図６】
0003234099.tif 000008
【図７】
0003234099.tif 000009
【図８】
0003234099.tif 000010
【図９】
0003234099.tif 000011
【図１０】
0003234099.tif 000012
【図１１】
0003234099.tif 000013